(57)【要約】【課題】襟刳りを持って下方に向けて引っ張れば、大きく引き伸ばされて乳房の露出が容易になると共に、仰臥、横臥の姿勢になっても、バストを覆う面積が広く、バストの形の変化も少なくて脇こぼれもなく、母乳が漏れて滲み出ることのない授乳用ブラジャーを提供する。【解決手段】胸部を被覆する前身頃２と、背中を被覆する後身頃３と、前身頃２と後身頃３を連結する肩紐４とで形成された縦横方向に優れた伸縮性生地からなる授乳用ブラジャーである。右前身頃２Ｒと左前身頃２Ｌが分離され、右前身頃２Ｒと左前身頃２Ｌが前中心部で交差され前後に重ね合わされ、下端部が裾口弾性体８に縫着される。右前身頃一側辺６の上部６ａと左前身頃一側辺７の上部７ａを交差しない開口部８を設ける。左右前身頃２Ｌ，２Ｒの内面に乳房を支持する左右カップ布１３Ｌ，１３Ｒを備える。【選択図】図１
2013091860.tif 000002
【特許請求の範囲】
【請求項１】
胸部を被覆する前身頃と、背中を被覆する後身頃と、前身頃と後身頃を連結する肩紐とで形成された縦横方向に優れた伸縮性生地からなる授乳用ブラジャーであって、右前身頃と左前身頃が分離され、その右前身頃と左前身頃が前中心部で交差され前後に重ね合わされ、下端部が裾口弾性帯に縫着されると共に、右前身頃一側片の上部と左前身頃一側片の上部が交差されない開口部を設け、前記左右前身頃の内面に乳房を支持する左右カップ布を設けたことを特徴とする授乳用ブラジャー。
【請求項２】
前記の左右カップ布は、下部中央において左右カップ布が交差され前後に重ね合わされ、右カップ布の一側辺と左カップの一側辺は前身頃に縫着されず遊離されていることを特徴とする請求項１に記載の授乳用ブラジャー。
【請求項３】
前記の左右カップ布は、内面のカップ部に、下辺部から脇側辺部に沿う吸収拡散生地の支持布が配設されていることを特徴とする請求項１または２に記載の授乳用ブラジャー。
【請求項４】
前記の左右カップ部に、吸収パッドを収納するポケット部を設けたことを特徴とする請求項３に記載の授乳用ブラジャー。
【発明の詳細な説明】
【技術分野】
【０００１】
本発明は、授乳用ブラジャーに関するものであり、さらに詳しくは、授乳時に乳房を容易に露出できると共に、外部に母乳が漏れにくい授乳用ブラジャーに関するものである。
【背景技術】
【０００２】
従来から、授乳用ブラジャーは種々のものが提案されている。例えば、左右カップの下辺支持布の正面中央部に互いに着脱自在に係止する係止具を設け、係止具の係止を解くことにより、カップが左右方向に開いて乳房を露出して授乳するものや、左右カップの上端部と左右ストラップの上方部に着脱自在に係止する係止具を設け、係止具の係止を解くことにより、カップが上下方向に開いて乳房を露出して授乳するものが提案されている（特許文献１〜４参照）。
【０００３】
また、前記特許文献１〜４のような係止具を使用することなく、カップを上カップと下カップに分けると共に、上カップを上前側布と上脇側布の２枚の分離布に形成し、授乳時に上前側布をめくると同時に上脇側布もめくれて乳頭および乳房を露出して授乳するものが提案されている（特許文献５参照）。
【０００４】
さらに、本出願人が先に提案して好評を得ている、授乳用ブラジャー本体の前中心部に、左カップの内側下端部と右カップの内側下端部がクロスするフロントクロス部を設けると共に、授乳用ブラジャー本体の両側部に、左カップの外側下端部と左後布の一側端部および右カップの外側下端部と右後布の一側端部がクロスするサイドクロス部を形成して、フロントオープンまたはサイドオープンのどちらでも授乳できる至便なものが提案されている（特許文献６参照）。
【先行技術文献】
【特許文献】
【０００５】
【特許文献１】実開平７−６２１７号公報
【特許文献２】特開平８−１２７９０４号公報
【特許文献３】実開平４−１０６３０３号公報
【特許文献４】特開平９−３７０６号公報
【特許文献５】特開平７−４２００２号公報
【特許文献６】特開２０１１−１７０９４号公報
【発明の概要】
【発明が解決しようとする課題】
【０００６】
しかしながら、上記特許文献１〜４の授乳用ブラジャーは、乳児を抱きかかえながら授乳の度に係止具の係止を解いたり、係止したりしなければならず、その操作が非常にやり難く手間がかかるといった問題点があった。また、授乳時にカップが邪魔になったり、係止具が乳児の肌に当たったりする虞があり、安全で安定した自然体での授乳が困難であった。さらに、係止具を解くことによりカップが乳房全体から外れて、必要以上に乳房を露出することになり、外出先などでは授乳し難いと言った問題点があった。
【０００７】
上記特許文献５は、カップ部の上前側布をめくるだけで乳頭およびその周囲を露出することができ、極めて簡単に授乳を行うことができると共に、授乳後は上記上前側布を元に戻すだけで簡単に身づくろいができる利点はあるものの、繰り返し授乳することによって、上前側布および上脇側布に折れ曲がり癖がつき、ブラジャーの使用時にバストにフィットしなくなり、バストを補整するというブラジャーの機能を果たせないといった問題点があった。
【０００８】
さらに、上記特許文献１〜５の授乳用ブラジャーは、いずれも伸縮性の少ない生地を用いてバスト形状に適合する左右カップ部と、締め付け力の強い編地からなるバック布と、伸縮性良好な細いストラップなどの各部材をそれぞれ縫製して出来上がったハードサポートブラジャーであり、バストの補整効果は高いが、バストが大きくなる授乳時には胸周りを強く圧迫するため、着け心地が悪いばかりでなく、着用できなくなることがあった。
【０００９】
また、上記特許文献６は、全体が伸縮性の生地で形成されており、ソフトな着用感が得られると共に、前中心丈および脇丈も比較的短いことから、乳房をカップ内側縁またはカップ外側縁の両方から露出でき、フロントオープン授乳またはサイドオープン授乳どちらでも可能になり便利であるが、前中心丈や脇丈が短く、バストをすっぽり覆う設計ではないので、母乳量が多い人や、就寝時など長時間横臥する時などは、母乳が漏れて外部に滲み出て着衣を汚損するという問題点があった。
【００１０】
本発明は、上記のような問題点を解決することを課題として研究開発されたもので、襟刳りを持って下方に向けて引っ張れば、大きく引き伸ばされて乳房の露出が容易になると共に、仰臥、横臥の姿勢になっても、バストを覆う面積が広く、バストの形の変化も少なくて脇こぼれもなく、母乳が漏れて滲み出ることのない授乳用ブラジャーを提供することを目的とするものである。
【課題を解決するための手段】
【００１１】
上記の課題を解決し、その目的を達成する手段として、請求項１の発明によれば、胸部を被覆する前身頃と、背中を被覆する後身頃と、前身頃と後身頃を連結する肩紐とで形成された縦横方向に優れた伸縮性生地からなる授乳用ブラジャーであって、右前身頃と左前身頃が分離され、その右前身頃と左前身頃が前中心部で交差され前後に重ね合わされ、下端部が裾口弾性帯に縫着されると共に、右前身頃一側辺の上部と左前身頃一側片の上部が交差されない開口部を設け、前記左右前身頃の内面に乳房を支持する左右カップ布を設けたことを特徴とする授乳用ブラジャーである。
【００１２】
請求項１の構成によれば、伸縮性生地からなる右前身頃と左前身頃を分離し、右前身頃と左前身頃が前中心部で交差し、前後に重ね合わせてあるから、右前身頃上部の襟刳りまたは左前身頃上部の襟刳りを持って下方に引っ張れば、前身頃の伸縮性生地と襟刳りの伸縮性テープと開口部とによって、左右前身頃は大きく引き伸ばされると共に、左右前身頃の内面のバストカップ布も同時に大きく引き伸ばされて乳房がカップ部から外れて乳房を容易に露出することができる。
【００１３】
また、右前身頃の一側辺の上部と、左前身頃の一側辺の上部をそれぞれ襟刳りの中心部の右側と左側に縫着して交差しない開口部を形成してあるから、仮に、右前身頃上部の襟刳りを下方に引っ張った時に、縦長状の開口部が横長状に変形して引き伸ばされる。その時、一方の左前身頃は開口部によって分離されていることから、その引っ張り力が分散されて伝わらず、引っ張りの影響を受けることがない。もし、開口部がなければ、右、左前身頃どちらかの襟刳りを下方に引っ張った時に、前中心部の生地が集まり、また重なり、さらに反対身頃の生地が元に戻ろうとしてテンションがかかり乳房の露出が容易にならず、授乳もし難くなる。
【００１４】
さらに、乳房を露出するのに前身頃上部の襟刳りを手で持ち斜め下方に引っ張りながら行うから、乳房の露出状況を確認しながら、乳児が乳首に吸いつく体性にすることができ授乳が確実になる。また、この授乳用ブラジャーの着用時には、乳房全体をすっぽりと包んで密着保持され、安定感があって、仰臥、横臥時においても、乳房の形状を崩すことがなくなり、母乳が溢乳して漏れ出すことがない。
【００１５】
また、請求項２の発明は、請求項１の発明の構成において、前記の左右カップ布は、下部中央において左右カップ布が交差され前後に重ね合わされ、右カップ布の一側辺と左カップの一側辺が前身頃に縫着されず遊離されていることを特徴とする授乳用ブラジャーである。
【００１６】
請求項２の構成によれば、左右前身頃の内面のカップ布も下部中央部で交差し前後に重ね合わせてあり、右カップ布の一側辺と左カップ布の一側辺を遊離してあるから、伸縮性の前身頃が引っ張られると、左右前身頃の内面のカップ布も同時に大きく伸びて乳房はカップ部から外れて乳房を容易に露出することができ授乳が可能になる。
【００１７】
請求項３の発明は、請求項１または２の発明の構成において、前記の左右カップ布は、内面のカップ部に、下辺部から脇側辺部に沿う吸収拡散生地の支持布が配設されていることを特徴とする授乳用ブラジャーである。
【００１８】
請求項３の構成によれば、左右カップ布とカップ外周布に吸収拡散生地を用いているから、乳房が脇側に流れたり、下方に垂れたりして乳頭の位置がずれたとしても、カップ外周布を設けてあるから、母乳の漏れを防ぐばかりでなく、吸収拡散生地により、母乳を速やかに吸水すると同時に拡散されてべとつくことがなくなり着け心地が良い。
【００１９】
請求項４の発明は、請求項３の発明の構成において、前記の左右カップ部に、母乳吸収パッドを収納するポケット部を設けたことを特徴とする授乳用ブラジャーである。
【００２０】
請求項４の構成によれば、カップ部に母乳吸収パッドを収納するポケット部を設けてあるから、従来の両面テープなどの接着手段と比べて使用中にパッドが外れて落ちることがなくなる。そして、授乳時以外の母乳の溢出においても、充分に溢出する母乳を速やかに吸収する。従って、滲み出た母乳が授乳用ブラジャーや着衣から漏れ出ることがなくなる。また、母乳を吸収したパッドはポケットから取り出すことにより簡単に新しいものと取り換えることができる。
【発明の効果】
【００２１】
以上、説明したように、本発明の授乳用ブラジャーによれば、分離された左右前身頃を、前中心部で交差させて前後に重ね合わせてあるから、襟刳りを持って下方に引っ張れば、前身頃の伸縮性生地と襟刳りの伸縮テープと開口部とによって、前身頃の襟刳りは大きく引き伸ばされると共に、左右前身頃の内面のバストカップ布も同時に引っ張られて乳房を容易に露出することができる。また、この授乳用ブラジャーを着用すると、乳房全体をすっぽりと包んで密着保持され、乳房の形状を崩さない安定感があり、仰臥時、横臥時においても、母乳が溢乳して漏れ出すことがない。
【図面の簡単な説明】
【００２２】
【図１】本発明の第１実施の形態を示す授乳用ブラジャーの簡略正面斜視図である。
【図２】本発明の第１実施の形態を示す授乳用ブラジャーの簡略内面斜視図である。
【図３】カップ部の縦断面図である。
【図４】開口部の拡大図である。
【図５】襟刳りを引っ張って乳房を露出する状態の説明図である。
【図６】左乳房を露出して授乳させる状態の説明図である。
【図７】右乳房を露出して授乳させる状態の説明図である。
【図８】本発明の第２実施の形態を示す授乳用ブラジャーの簡略内面斜視図である。
【図９】カップ部の縦断面である。
【図１０】パッドが収納された状態の縦断面図である。
【発明を実施するための最良の形態】
【００２３】
以下に、本発明の第１実施の形態を添付の図１〜図７に基づいて説明すれば、１は前中心の丈が長く、脇丈も長いバストを全体にすっぽり覆う所謂ハーフトップ状の授乳用ブラジャー本体であって、胸部を覆う前身頃２と、背中部を覆う後身頃３および肩に掛ける幅広の肩紐４とで構成されており、前身頃２の両側縁と後身頃３の両側縁および前身頃２と後身頃３を連結する肩紐４，４の端縁同士をそれぞれ縫着５，５して一体的に形成してある。これらは縦横方向に伸縮性の優れた綿混ベア天竺によって形成されている。
【００２４】
胸部を覆う前身頃２は、右前身頃２Ｒと左前身頃２Ｌに分離されており、バストの前中心部で右前身頃２Ｒと左前身頃２Ｌが交差するように前後に重ね合わされている。すなわち、右前身頃２Ｒの一側辺６が左前身頃２Ｌの表側に現れ、その一側辺先端部６aは左前身頃２Ｌの略中間部まで延設されている。一方、左前身頃２Ｌの一側辺７および一側辺先端部７aは、右前身頃２Ｒの裏面側に入り隠れた状態になっているが、右前身頃２Ｒと同様にその一側辺先端部７aは左前身頃２Ｌの略中間部まで延設されている。そして、右前身頃２Ｒの下端部と左前身頃２Ｌの下端部は裾口弾性体８に縫着されている。
【００２５】
９は右前身頃２Ｒの一側片６の上部６ｂと、左前身頃２Ｌの一側片７の上部７ｂが交差しないことによって前身頃２の正面中央部に形成された縦長の環状開口部である。すなわち、右前身頃２Ｒの一側辺６の上部６ｂを襟刳り１０の正面中心部より右寄りに縫着すると共に、左前身頃２Ｌの一側辺７の上部７ｂを襟刳り１０の中心より左寄りに縫着することにより、対向縁６ｃ，６ｃ間に開口部９が形成され、横方向より縦方向に長い開口部９になっている。
【００２６】
１１は前述の右前身頃２Ｒの一側辺６と、左前身頃２Ｌの一側辺７と、襟刳り１０および袖刳り１２の周縁に縫着されたゴム状の伸縮性テープであり、乳房を露出する時に、前身頃２の伸縮性生地と相俟って大きく引っ張ることができるようにしたものである。
【００２７】
１３は前身頃２Ｒの内面側に設けたバストを保持するカップ布であり、図２に示すように、右前身頃２Ｒの内面に右カップ布１３Ｒを、左前身頃２Ｌの内面に左カップ布１３Ｌを備え、右カップ布１３Ｒの内側縁下部１４と左カップ布１３Ｌの内側縁下部１５を下端中央部で交差し前後に重ね合わせ、下辺部１６、上辺部１７および側辺部１８を前身頃２に縫製して一体化してあるが、右カップ布１３Ｒの一側辺１９と左カップ布１３Ｌの一側辺２０は前身頃２に縫いつけることなく遊離状態になっている。
【００２８】
２１は乳房を収容保持するカップ部であり、肌に接する面が母乳を吸収してもべとつかない装着感の良いポリアミド繊維を編んだり、織ったりした比較的薄くて柔らかい吸水拡散生地２２を用い、その外面にポリエステル綿と吸収性の優れたレーヨン綿との充分な吸水性と保水性の混合中綿２３を複数層設け、嵩高性と弾力性を具備して乳頭の当たりがソフトになるようにしてあり、さらに、その外面にポリエスアテル樹脂を塗布した撥水布２４を配して母乳の滲出を防止し、その外面が表生地２の綿混ベア天竺になっている。
【００２９】
２５はカップ部２１の下辺部から脇側辺部に沿って縫着されている支持布であり、カップ部２１の内面に縫いつけられている生地と同じ母乳を吸収してもべとつかないポリアミド繊維からなる吸水拡散生地である。
【００３０】
２６は右カップ布１３Ｒと左カップ布１３Ｌの内側下部が前後に重ね合わされている交差部であり、この交差部２６は綿混ベア天竺の伸縮性生地を用いて縫製されており、カップ布１３の上下左右方向の伸縮性が良くなるようにしてある。
【００３１】
２７はカップ布１３の上辺部１７と肩紐４を結着する連結片であり、この連結片２７も伸縮性が良好な綿混ベア天竺を用いて縫製してあり、カップ布１３の上下左右方向の伸縮性が良くなるようにしてある。
【００３２】
このように構成した本発明の第１実施形態の使用例を、図６に示す左乳房Ａを露出する場合で説明すれば、授乳用ブラジャーを着用した状態において、左前身頃２Ｌの上部の襟刳り１０を持って斜め下方に引っ張ると、左前身頃２Ｌの伸縮性生地と襟刳り１０に縫着したゴム状の伸縮性テープ１１および開口部９の存在によって、下方に大きく引き伸ばすことができる。この時、左前身頃２Ｌは右前身頃２Ｒと開口部９によって分離されていることから、右前身頃２Ｒは何ら影響を受けることがなく、左前身頃２Ｌだけが大きく引っ張られて襟刳り１０が伸びて変形することから、左乳房Ａを容易に露出することができる。なお、この例においては、左乳房Ａを露出する場合で説明したが、図７に示す右乳房Ｂの露出についても同じ方法により行うことができる。
【００３３】
また、この授乳用ブラジャーは、前中心の丈と脇丈の長いバストを全体にすっぽり覆うハーフトップ状であり、乳房の露出が困難とされている授乳用ブラジャーにも拘らず、前身頃２の伸縮性生地と襟刳り１０の周縁に縫いつけたゴム状の伸縮性テープ１１および開口部９によって、極めて簡単に露出することができる。
【００３４】
さらに、右前身頃２Ｒの一側辺６の上部６ｂと、左前身頃２Ｌの一側辺７の上部７ｂを襟刳り１０に縫着する位置を左右にずらすことにより、開口部９の大きさを変えることができ、引伸力の調整ができる。また、この授乳用ブラジャーは、バストを全体に覆うものであるから、母乳量の多い人にも安心で、また着用した状態で身体を仰臥、横臥などの姿勢になっても、乳房が脇側に流れたり、下方に垂れ下がることが少なく、乳頭の位置が大きく変わらないことから、溢乳したとしても吸水拡散生地によって母乳が吸収されてべとつくことがない。仮に、乳頭がカップ部２１の位置から大きく外れたとしても、カップ部２１の下辺部１６から脇側辺部１８に沿う支持布２５が吸水拡散生地２２であるから、母乳が溢出しても十分な吸水性と保水性を有し衣服を汚すことがない。
【００３５】
つぎに、図８〜図１０に示すのは、本発明の第２実施の形態を説明するものであり、前記第１実施の形態と異なるのは、カップ部２１のポリエステル綿とレーヨン綿の混合中綿２３がポリエステル不織布２８と綿混生地２９に変わる点と、紙パッド３０を収納できるポケット部３１を設けた点だけであり、その他の点は前記第１実施の形態と全く同じであることから、同一部分には同一符号を付して説明を省略する。
【００３６】
すなわち、左右前身頃２Ｌ，２Ｒの内面側に設けたカップ布１３Ｌ，１３Ｒのカップ部２１，２１の内面側に、上部弧状布３２と下部弧状布３３を間隔あけて縫着し、上部弧状布３２と下部弧状布３３の間をポケット部３１とし、そのポケット部３１に紙パッド３０を収納することにより、上部弧状布３２と下部弧状布３３によって保持されることから、従来の両面テープなどの接着手段と比べ使用中の紙パッド３０のずれを有効に防止できる。
【００３７】
さらに、前記上部弧状布３２と下部弧状布３３は、ポリアミド繊維からなる吸水拡散生地２２で構成されているから、溢出する母乳は速やかに吸収されると共に拡散されて吸収材に吸収されて保水される。また、ポケット部３１に収容されている紙パッド３０で溢出する母乳を確実に吸収することができ、母乳を吸収してもべとつくことがないので、着け心地が良好である。
【００３８】
以上、本発明の実施の形態においては、授乳用ブラジャー本体を前身頃と後身頃を別々に形成して両者の側縁と肩紐の端部同士を縫合一体化したハーフトップタイプのブラジャーで説明したが、必ずしもこれらに限定されるものではなく、前身頃布と後身頃布を一連に編成にすることもあり、本発明の目的を達成でき、かつ発明の要旨を逸脱しない範囲内において種々の設計変更が可能であり、それらも全て本発明の範囲内に包含されることは言うまでもない。
【産業上の利用可能性】
【００３９】
本発明は、授乳が容易に行えて母乳が滲みだしにくい授乳用ブラジャーとしての使用は勿論のこと、就寝時にバストの形が崩れるのを防止するために着用する就寝時の授乳用ブラジャーとしても好適に利用できるものである。
【符号の説明】
【００４０】
１      授乳用ブラジャー本体
２      前身頃
２Ｒ    右前身頃
２Ｌ    右前身頃
３      後身頃
４      肩紐
８      袖口
９      開口部
１０    襟刳り
１３    カップ布
１３Ｒ  右カップ布
１３Ｌ  左カップ布
２１    カップ部
２２    吸収拡散生地
３０    パッド
３１    ポケット部
【図１】
2013091860.tif 000003
【図２】
2013091860.tif 000004
【図３】
2013091860.tif 000005
【図４】
2013091860.tif 000006
【図５】
2013091860.tif 000007
【図６】
2013091860.tif 000008
【図７】
2013091860.tif 000009
【図８】
2013091860.tif 000010
【図９】
2013091860.tif 000011
【図１０】
2013091860.tif 000012